(57)【特許請求の範囲】
【請求項１】
取付面とその取付面とは反対側に形成された平面部とを有する筺体と、
前記筺体内に設けられ、高輝度ＬＥＤで形成された発光部と、
前記発光部から放射される光を集光させる集光部と、
前記集光部で集光された光を放射する、透明中実体で形成された放光部であって前記平面部から凸状に突出する部位が多角台形である放光部とを備え、
前記集光部は、前記発光部及び前記放光部の周側面を覆蓋すると共に光反射面を内側面として有する筒状体であり、
前記平面部から凸状に突出する部位から前記平面部の縁辺までに形成される任意の仮想的直線が同一平面内に存在することを特徴とする点灯装置。
【請求項２】
前記放光部は、円柱体状又は角柱体状をなし、前記集光部で覆蓋される放光部本体と、その端面に配置され、前記突出する部位としての突出部とを有する前記請求項１に記載の点灯装置。
【請求項３】
前記集光部の内部領域として区画される面は反射面が形成されている前記請求項１又は２に記載の点灯装置。
【請求項４】
前記取付面は、天井面に設置される前記請求項１〜３のいずれか１項に記載の点灯装置。
【請求項５】
前記請求項１〜４のいずれか１項に記載の点灯装置を備えてなる煙感知器。
【請求項６】
前記請求項１〜４のいずれか１項に記載の点灯装置における前記筺体の周側面における前記取付面近傍に開設された流入口から内部に流入した煙を検知する検知手段と、前記検知手段から出力される検知信号に基づいて前記発光部を制御する制御部とを備えて成ることを特徴とする前記請求項５に記載の煙感知器。
【発明の詳細な説明】
【技術分野】
【０００１】
この発明は点灯装置及び煙感知器に関し、更に詳しくは、霞や煙霧が存在しても全方位から明瞭に視認することができるように発光する点灯装置及びそのような点灯装置を組み込んでなることにより、光信号を全方位から容易に視認することのできる煙感知器に関する。
【背景技術】
【０００２】
特許文献１には、「外部からの煙の侵入を許容するとともに外光の入射を防止する隔壁が形成されたラビリンス壁と、ラビリンス壁によって囲まれる煙感知室に発光素子からの光を配光する発光側の光学部材と、・・・光素子チップと、・・・光学部材と、・・・検出回路と、光素子チップ及び光素子用集積回路チップを含む検出回路の回路部品が実装・・・された回路基板とを備えて成ることを特徴とする火災感知器」が記載されている（特許文献１の請求項１２参照）。
【０００３】
この特許文献１には、火災感知器の構造に関して、以下のような記載がある。
「[段落番号００３２]
次に火災感知器の構造を図７〜図１７に基づいて説明する。この火災感知器は図７〜図９に 示すように天井面などの造営面に取着されるボディ１と、プリント基板からなり発光ダイオードＬＥＤやチップ化されたフォトダイオードＰＤや後述する煙検知 回路の回路部品が実装される回路基板２と、外部からの煙の侵入を許容するとともに外光の入射を防止するラビリンス壁９によって周りが囲まれた水平断面が略 円形の煙感知室Ｓを下面側に具備し、煙感知室Ｓ内に光学系の部品が取着されるとともに、発光ダイオードＬＥＤ及びフォトダイオードＰＤを光学系の部品と対 向させた状態で回路基板２が上面に取り付けられる光学基台３と、光学基台３に設けた煙感知室Ｓの内部に虫などが侵入するのを防止する防虫カバー４と、保護カバー５とで構成される。
[段落番号００３３]
ボディ１は略円板状の主部１ａと、主部１ａの外周縁から上方に突出する側壁１ｂとを連続一体に形成して構成され、主部１ａの下面略中央には丸穴１ｃが開口し、この丸穴１ｃ内に回路基板２が固定された光学基台３及び防虫カバー４を保持した保護カバー５の上端部が挿入され、固定される。」
要するに、この特許文献１に開示されている火災感知器は、天井に取り付けたボディーの中央部に下方に向けて突出する保護カバーを有し、その保護カバーの内部にＬＥＤが取り付けられている。
【０００４】
そうすると、火災感知時に視覚的な警報となるＬＥＤの発光が、室内の人の位置によって見えたり、見えなかったりするという問題がある。
【０００５】
特許文献２には、「暗箱と、発光素子と、受光素子とを備え、前記暗箱内に流入してきた煙により前記発光素子から発せられた光が散乱されたときの散乱光を、前記受光素子が受光することにより火災を感知する火災感知器において、前記暗箱の壁部は、所定の大きさの円を基本形とし、かつ、前記円の周外にその少なくとも一部が突出した形状に形成され、前記発光素子は、前記暗箱の前記突出した形状の部分に配置され、前記受光素子は、その光軸が前記円を含む平面に対してほぼ垂直であるように、暗箱外に設置されていることを特徴とする火災感知器」が記載されている（特許文献２の請求項１参照）。
【０００６】
この特許文献２に開示されている火災感知器には、図２（ｂ）に示されるように、火災感知器が作動中であることを示すために、ＬＥＤ（発光ダイオード）５３及びそのＬＥＤから発せられる光を導光するレンズ２４が装備されている（特許文献２の段落番号００５０、００５２参照）。そして、図１（ａ）、図２（ｂ）に示されるように、レンズ穴５とレンズ２４の先端部とが面一となるように、レンズ２４が装着されている。
【０００７】
そうすると、天井面に設置された火災感知器の真下から観察するときにはこのレンズの光を確実に視認することができるが、少し離れたところから観察する人からは前記レンズの光を良く視認することができないといった。問題がある。
【０００８】
【特許文献１】特開２００７−１３２１２号公報
【特許文献２】特開２００６−２４４５１５号公報
【発明の開示】
【発明が解決しようとする課題】
【０００９】
この発明は、例えば天井に取り付けられた筐体を、下方のいずれの位置から見上げて観察しても明瞭に点灯状態を視認することのできる点灯装置を提供すること、例えば天井に取り付けられた筐体を、下方のいずれの位置から見上げて観察しても、しかも天井近辺に煙霧等が存在していても明瞭に点灯状態を視認することのできる点灯装置を提供することを課題とする。
【００１０】
この発明は、そのような点灯装置を組み込んでなることにより動作状態又は火災発生情報を、下方のいずれの位置から見上げて観察しても明瞭にその点灯状態により、観察視認することのできる煙感知器を提供すること、例えば天井付近に煙霧が存在しても、科方位のいずれの位置から見上げて観察しても明瞭にその点灯状態により火災発生を認知することのできる煙感知器を提供することを課題とする。
【課題を解決するための手段】
【００１１】
前記課題を解決するための手段として、
請求項１は、取付面とその取付面とは反対側に形成された平面部とを有する筺体と、前記筺体内に設けられ、高輝度ＬＥＤで形成された発光部と、前記発光部から放射される光を集光させる集光部と、前記集光部で集光された光を放射する、透明中実体で形成された放光部であって前記平面部から凸状に突出する部位が多角台形である放光部とを備え、前記集光部は、前記発光部及び前記放光部の周側面を覆蓋すると共に光反射面を内側面として有する筒状体であり、前記平面部から凸状に突出する部位から前記平面部の縁辺までに形成される任意の仮想的直線が同一平面内に存在することを特徴とする点灯装置であり、
請求項２は、前記放光部は、円柱体状又は角柱体状をなし、前記集光部で覆蓋される放光部本体と、その端面に配置され、前記突出する部位としての突出部とを有する前記請求項１に記載の点灯装置であり、
請求項３は、前記集光部の内部領域として区画される面は反射面が形成されている前記請求項１又は２に記載の点灯装置であり、
請求項４は、前記取付面は天井面に設置される前記請求項１〜３のいずれか１項に記載の点灯装置であり、
請求項５は、前記請求項１〜４のいずれか１項に記載の点灯装置を備えてなる煙感知器であり、
請求項６は、前記請求項１〜４のいずれか１項に記載の点灯装置における前記筺体の周側面における前記取付面近傍に開設された流入口から内部に流入した煙を検知する検知手段と、前記検知手段から出力される検知信号に基づいて前記発光部を制御する制御部とを備えて成ることを特徴とする前記請求項５に記載の煙感知器である。
【発明の効果】
【００１２】
この発明に係る点灯装置は、筐体を有する。この筐体は、点灯装置を適宜の部位例えば天井面等に設置するための取付面と、この取付面とは反対側に形成された平面部とを有する。この発明によると、筐体の平面部から突出した放光部から、集光部で集光された光を、放射するので、平面部側のいずれの方向から観察しても放射される光を観察者が確認することができ、しかも発光部から放射される光が集光部で集光されて放光部から出射するので光量の多い光を放射することのできる点灯装置が、提供される。
【００１３】
この発明によると、発光部が高輝度ＬＥＤであると、煙霧がこの点灯装置の周囲に存在しても、煙霧によって発光部からの光放射が遮られ、或いは見えにくくなることがないので、確実に点灯状態を確認することのできる点灯装置が、提供される。
【００１４】
この発明によると、放光部全体が透明な中実体（以下において、透明中実体と称することがある。）で形成されているので、発光部から、特に高輝度ＬＥＤから発生する光が放光部内を進行し、放光部のうち筐体における平面部から突出する部位が多角台形をしているので、筐体の平面部における放光部から前記平面部が向う全方位に向って強力な光を放射することができる点灯装置が、提供される。
【００１５】
この発明によると、集光部が放光部を内装する筒体であるので放光部は安定に固定されるとともに、放光部の側面から出射しようとする光が集光部によって放光部の界面で全反射し、このような全反射を繰り返して放光部内を光が進行するので、光量の大幅な減衰を生じることなく、また、発光部から放出される光の全てが放光部における平面部から突出する先端部から放出されることになる。したがって、この発明によると、平面部が向う全方位に向って強力な光を放射することができる点灯装置が、提供される。
【００１６】
この発明は前記点灯装置を備えた煙感知器を提供することができる。この煙感知器はこの発明に係る点灯装置を装備するので、筐体における平面部に向う全方向から、筐体における前記平面部から突出する放光部から発せられる光の放射が、視認されることができる。したがって、例えばこの煙感知器を天井に設置した場合、その部屋のどこからであっても煙感知器における放光部の点灯を視認することができる。したがって、この点灯装置における放光部の点灯が、例えば煙感知器の動作状態を示す光であるなら、この煙感知器の動作状態をいずれの方向からも確認することができ、また、放光部の点滅が例えば煙感知器により煙発生を示す光であるなら、この煙感知器によりいずれの方向からも火災発生を確認することができる。
【００１７】
この発明に係る煙感知器は、この発明に係る点灯装置と、検知手段と、制御部とを有し、前記検知手段は、点灯装置における筐体の周側面における取付面近傍に開設された流入口から筐体の内部に進入した煙を検知し、前記制御部は、前記検知信号から出力される検知信号に基づいて点灯装置における発光部を制御する。したがって、この発明によると、点灯装置による火災発生等を正確に検知することのできる小型の煙感知器を提供することができる。
【００１８】
また、この発明によると、筐体内部に、流入口から内部に流入する煙を誘導する煙導入基板が設けられているので、流入口から内部に流入する煙を、筐体内で滞留させ、或いは予想外の方向に流通させることなく、正確に検知手段に誘導することができる。したがって、この発明によると、煙感知を正確に行うことのできる煙感知器を提供することができる。
【００１９】
特に、煙導入基板に堰堤部を備えていると、堰堤部を乗り越えた煙の流れが筐体内部で均一に分布することとなって、筐体内部で煙が偏在し、或いは滞留することなく検知手段に煙を導入することができ、正確に煙の検知をすることのできる煙感知器を提供することができる。
【発明を実施するための最良の形態】
【００２０】
この発明の煙感知器は、この発明に係る点灯装置と、検知手段と、制御部とを備えている。
【００２１】
この点灯装置は、筐体と、発光部と、集光部と、放光部と、を備える。
【００２２】
前記筐体は、前記発光部と前記集光部と前記放光部とを内蔵することができる形態及び形状を有する。その形態及び形状は、この点灯装置が用いられる用途又はこの点灯装置が組み込まれる装置の用途に応じて適宜に決定される。例えば、この点灯装置が煙感知器に組み込まれることができる。
【００２３】
この発明に係る好適な煙感知器は、筐体を備える。この筐体は、点灯装置における筐体と共通で有り得る。
【００２４】
この発明の煙感知器における筐体は、煙が流入する流入口を周側面部に有する。筐体は、この発明の煙感知器の全体形状を決定し、この煙感知器の外観を呈する。なお、前記筐体は、その内部に後述の検知手段、制御部を備え、更に煙導入基板を備えることもある。
【００２５】
この煙感知器における筐体は、煙が流入する流入口を有する部材であれば、適宜の部材を採用することができる。筐体の形状としては、両端を閉塞する円筒形状、両端を閉塞する楕円筒形状、両端を閉塞する円錐台形状を重ねた形状及び両端を閉塞する多角筒形状等を挙げることができる。筐体における周側面の全周から煙が流入し易い形状としては、円筒形状が好ましい。また、筐体の大きさとしては、この発明に係る煙感知器が煙を感知する機能を維持可能な大きさであれば良い。なお、この煙感知器が設置される空間例えば部屋内に存在する人にとっては、煙感知器が大型であると煙感知器の設置場所の内装が損なわれていると感じることがある。よって、この発明の煙感知器は、煙を感知し、かつ点灯装置の機能を維持しつつ、設置場所、例えば寝室及び廊下等の内装を損なわない程度に小型であることが好ましい。
【００２６】
この筐体は一つの部材で前記所定の形状及び大きさに形成することもでき、また、複数の部材でそれらの組み立て体として所定の形状及び大きさに形成することもできる。
【００２７】
更に、筐体を形成する材料としては、この発明の煙感知器を設置する環境において正常に作動可能である限り特に制限は無く、例えばプラスチック、木材、セラミックス及び金属等を挙げることができる。
【００２８】
筐体に設ける流入口は、筐体における周側面に設けられる。好ましい流入口は、筐体の周側面にその全周に亘って設けられる。もっとも、筐体の周側面の一部に複数の流入口を設けることもできる。なお、流入口は筐体内に流入した煙が流出しない場合又は流出し難い場合は、筐体内に一旦流入した煙が後述のセンサ等の検知手段に感知され続けることとなることがあり、この発明の煙感知器が設置される環境の状況を正確に感知できないことがある。したがって、筐体内に流入した煙が流出し易いように、少なくとも筐体の周側面に流入口を複数箇所設けることが好ましく、筐体の周側面の全周に亘って設けることが更に好ましい。このとき、流入口は、煙が流出する流出口としても機能する。
【００２９】
この筐体の周側面に流入口を設けることにより、煙感知器全体の規模を小型化にし、また煙感知器全体の形状を単純にすることができる。例えば、特許文献１に記載された火災感知器の外観形状とこの発明に係る煙感知器の外観形状とを比較すると、特許文献１に記載の火災感知器は、特許文献１における図７に示されるように、略円盤状の主部とその主部の外周縁から上方に突出する側壁とを連続一体に形成してなるボディと、前記主部の下面略中央に下方に突出する保護カバーとを備えて成ることにより、天井にこの火災感知器を取り付けた場合に下方に向って大円の円筒体と小円の円筒体とを重ねたような凸状の全体形状を有する。特許文献１に記載された火災感知器がこのような円筒体二段重ねの全体形状を有するのは、ボディの内部ではなくて保護カバーの内部にセンサーを設けているからである。
【００３０】
特許文献１に記載の火災感知器に比べてこの発明に係る煙感知器は、筐体の周側面に流入口を設けているので、特許文献１に記載の火災感知器におけるような円筒体二段重ねの全体形状に形成する必要はなく、例えば円筒体、楕円筒体、角筒体等の単純な立体形状とすることができ、しかも筐体の取付面からの高さ寸法を小さくすることができる。つまりは、この発明に係る煙感知器は、小型の全体形状とすることができる。
【００３１】
また、特許文献１に記載の火災感知器では、天井を低速で移動する煙を感知するのが困難である。ところが、この発明における煙感知器におけるように筐体の周側面に流入口が設けられていると、その流入口は天井に近接しているので、天井を低速で移動する煙を容易にその流入口から筐体の内部へと導入することができる。
【００３２】
火災の初期においては煙が天井を伝って緩慢に移動する。したがって、天井に近接して、しかも天井に沿って緩慢に移動する煙を逸早く検知することができることは、火災発生を逸早く検知し、しかも人々に火災発生を迅速に知らせることになるのであるから、この発明に係る煙感知器は、火災の早期発見に寄与することができる。
【００３３】
筐体における周側面の全周に亘って流入口を設けるには、例えば一端を開口する有底円筒体を２個設け、かつ開口部同士の間隔が流入口の大きさとなるように保持しつつ有底円筒体同士を相互に結合して一体化することにより、有底円筒体の端縁部が流入口となるので、この発明の煙感知器における筐体を得ることができる。もっとも、例えば筐体における周側面の一部に流入口を設ける場合には、上述のように別体的な部材を用いることなく両端を閉塞する円筒体の周側面に流入口を設けるようにしても良い。
【００３４】
また、筐体における周側面の全周に亘って流入口を設ける別の手法として、設置面例えば天井面に取り付ける取付基板と煙感知器本体である有底筒状体とからなり、前記取付基板の下部と前記有底筒状体の周側上端部とに僅かに間隙を生じるように離隔することにより流入口を形成するとともに、前記煙感知器本体と取付基板とを着脱可能にこれらを一体的に組み立てて成る筐体としてもよい。この筐体にあっては、取付基板と煙感知器本体の周側面上端部との間隙が、周側面を一巡するように開口する流入口となる。
【００３５】
通常、屋内で火災が発生すると、火災発生初期においては、火元から発生する煙が天井に向って立ち上がり、天井に到達した煙は天井面に沿って低速で緩慢に移動していく。また、煙が流通している場合にも、天井面に近接する位置においては、煙が低速で緩慢に流通することがある。火災発生の初期段階において、天井面直下を緩慢に移動するうっすらとした煙を検知することができると、火災に対する迅速な処置、例えば避難行動、消火行動、通報行動等をとることができる。この発明の煙感知器の筐体における流入口の位置は、煙が筐体内に流入可能である限り特に制限されないが、筐体の周側面において、この発明の煙感知器が設置される設置面に近接した部位に流入口を設けると、設置面に沿って流通する煙が流入口から流入し易くなるので、好ましい。
【００３６】
なお、この発明の煙感知器は、煙を感知したセンサ等の検知手段から出力される信号に基づいて、この発明に係る点灯装置における放光部から光を放射し、或いは点滅させることにより、警報を発することができる。検知手段が煙を感知することにより、この発明の煙感知器が設置されている場所に煙が発生していると感知することができる。なお、この発明の煙感知器は、煙の存在を感知した場合に、この煙感知器が設置されている空間内に、又はその他の場所に存在する人たちに煙の存在又は火災の発生を警報することができる。
【００３７】
なお、この煙感知器においては、この発明に係る点灯装置のみならず、音声又は音響により警報を行う聴覚的警報手段を具備することもできる。この発明に係る煙感知器が、聴覚的警報手段とこの発明に係る点灯装置とを具備していると、火災発生等の異常を、この煙感知器が設置されている空間例えば部屋に存在する人たちに、より一層確実に警告することができる。
【００３８】
この発明に係る煙感知器は、既述したように、前記筐体に、この発明に係る点灯装置を具備する。
【００３９】
この発明に係る点灯装置を組み込んだ煙感知器における筐体と点灯装置における筐体とが同一であることが好ましい。
【００４０】
点灯装置における筐体であると同時に煙感知器における筐体であるその筐体は、天井等に取り付けるための取付面と、その取付面とは反対側に形成された平面部とを有する。
【００４１】
点灯装置における発光部は、大きな輝度で発光する光源であればよく、例えばＬＥＤ及び高輝度ＬＥＤを挙げることができ、高輝度ＬＥＤが好適である。
【００４２】
点灯装置における放光部は、前記発光部から発せられる光を導光し、筐体における平面部から突出した突出部を有する。換言すると、この放光部は、筐体内に存在する放光部本体と、筐体における平面部から突出する突出部とで形成される。放光部が筐体における平面部から突出する部位として前記突出部を有するので、前記発光部から発光した光が筐体内に存在する放光部本体内に導光され、筐体の平面部より突出する突出部から光が外部に放出される。したがって、放出される光は、筐体の平面部に向う全方向に向けて放射されるので、この点灯装置を有する煙感知器は、煙感知器の設置される空間例えば部屋内に存在する人々の視覚に確実に訴えることができる。
【００４３】
筐体の平面部から突出する突出部は、多角台形に形成されるのが、好ましい。多角台形に形成された突出部から放出される光が、この煙感知器が設置される空間内を移動する人々に確実に視認されることができるからである。
【００４４】
この放光部は、通常、透明な材料例えばアクリル樹脂等の透明樹脂、ガラス等により形成されることができる。成形の容易性及びコスト等を考慮すると、放光部は透明樹脂で形成されるのが、好ましい。
【００４５】
この放光部における筐体内に存在する部分、つまり放光部本体は、集光部に装着される。集光部は、前記発光部から放射される光を集光して、前記放光部内で光を導光させる。したがって、集光部の存在は、発光部から発する光を放光部外に放出させることがないので、発光部から発せられる光を無駄にすることがなくて、効率的である。発光部から発せられる全ての光が放光部内を導光して前記突出部から、筐体の平面部が向う全方向に向って発せられるので、放光部における突出部からの光が高輝度となる。
【００４６】
この発明に係る煙感知器においては、検知手段及び制御部を有する。
【００４７】
前記検知手段は、煙の存在を検知することができる手段であればよく、例えば光学式のセンサ、例えば発光素子と受光素子とを有するセンサを挙げることができる。光学式のセンサの一例を挙げると、センサ内に煙が流入していないときには発光素子から発せられた光は受光素子に到達せず、かつセンサ内に煙が流入したときには発光素子から発せられた光が煙を形成する粒子で反射して受光素子に到達し、受光素子が受光すると煙が流入していることを示す検知信号を出力するセンサを挙げることができる。なお、センサの電源には、直流又は交流電源を用いることができ、例えば電池又は家庭用電源等を挙げることができる。
【００４８】
制御部は、前記検知手段から出力される検知信号に基づいて前記発光部を制御する。例えば、この制御部は、前記検知手段が発光素子と受光素子とで形成される場合に、煙の存在を検知する検知信号が前記受光素子から出力されていないときには、前記発光部を常時点灯しておく制御信号を出力し、煙の存在を検知する検知信号が前記受光素子から出力されるときには、前記発光部を点滅させる制御信号を出力するように、形成されることができる。
【００４９】
この発明に係る煙感知器は、その筐体が、取付基板と、有底円筒状体と、煙導入基板とを有する。
【００５０】
この煙感知器を設置面例えば天井面に取り付けると、取付基板が設置面に接触する。したがって、取付基板は取付面を有する。
【００５１】
前記有底円筒状体はその底部の外側面が平面部となっている。つまり、取付基板にこの有底円筒状体を装着した状態では、前記取付基板とは反対側に位置する有底円筒状体の底部が、平らな面つまり平面部に形成されている。なお、平面と言う意味は、この平面部から突出する放光部の突出部から底部の縁辺までに形成される任意の仮想的直線が同一平面内に存在することを意味する。
【００５２】
前記取付基板と有底円筒状体とを、取付基板の下端部と有底円筒状体の上端部とが間隔を有するように、一体化すると、前記間隔が筐体の周側面を一巡する開口となる。この発明に係る煙感知器におけるこの開口が流入口を形成する。この煙感知器は、前記流入口から筐体の内部に流入する煙を誘導する煙導入基板を備える。
【００５３】
この煙導入基板は、前記取付基板に向う面に、前記流入口に臨む堰堤部と煙が流通する流通面と、筒体部とを有する。
【００５４】
前記堰堤部は、前記筐体の内部に設けられ、しかも流入口に臨んで形成される堤状部材である。この堰堤部の存在により、前記流入口から筐体内に流入した煙は、該堰堤部を乗り越えるようにして、更に筐体内部に流通していき、次の流通面へと移動して行く。
【００５５】
堰堤部は、流入口から流入した煙の流通を維持しつつ、堰堤部を通過した煙の流れを乱すと考えられる。堰堤部の好ましい態様としては、堰堤部の頂部における煙の流路の大きさ、つまり、頂部から取付基板までの寸法が、筐体の流入口の大きさ、つまり取付基板の下端縁から有底円筒状体の上端縁までの寸法より小さく設計されている態様を挙げることができる。堰堤部の頂部における煙の流路の大きさが小さいと、流入口から流入した煙が堰堤部の頂部を流通する際に煙が圧縮され、また、堰堤部の頂部における煙の流速が大きくなり、次いで煙が堰堤部を乗り越えると圧縮状態及び高速状態が解除されるので、煙が噴流となって煙の流通状態が乱されつつ流通面上を筐体内部方向に進行する。すなわち、堰堤部の頂部における煙の流路の大きさ、乃至間隙が小さいと、堰堤部がオリフィス様の作用を奏すると推測される。
【００５６】
この発明の煙感知器を水平に設置した場合に、堰堤部は、流入口に面する外側法面と頂部である水平面と煙の圧縮状態を解除する内側法面とから成ることが好ましい。堰堤部が外側法面と水平面である頂部と内側法面とから成ることにより、筐体内に煙が流入し易く、かつオリフィス様の作用を好適に発揮することができる。堰堤部の頂部において煙が流通する流路の大きさ、つまり、堰堤部から取付基板までの寸法としては、特に制限はない。
【００５７】
堰堤部の形状としては、堤状であり、かつ煙の流通を乱すような形状であれば良く、例えば筐体が円筒体であり、周側面の全周に亘って流入口が設けられている場合には、流入口に沿って筐体の内部に環状の堰堤部を設けることができる。
【００５８】
堰堤部の大きさは、堰堤部の頂部において煙が流通可能であれば良い。なお、この発明の煙感知器における煙を感知する光学部材、例えば後述のセンサ等に、流入口から侵入する外乱光が投射されると、誤作動を起こす可能性があるので、この発明の煙感知器は、堰堤部を設けることにより流入口から入射する光の大部分を遮光している。
【００５９】
堰堤部の材料としては、煙により変質し難い材料が好ましく、例えばプラスチック、木材、セラミックス及び金属等を挙げることができる。筐体と堰堤部とを一体化しても良く、例えば一体成形等で形成することができる。また、堰堤部は、煙の流通を遮断しない範囲で複数個設けることができ、例えば上述した環状の堰堤部の内側に、さらに前記環状の堰堤部と同心とする環状の第２堰堤部を設けてもよい。この形態を更に一般化すると、この発明に係る煙感知器における煙導入基板は、煙導入基板における中心軸線を同心軸線として複数の環状に形成された堰堤部を備えることができる。堰堤部を複数個設けると、筐体内に侵入しようとする外乱光の遮光効率が向上する。
【００６０】
前記流通面は、前記堰堤部を越えて前記筐体内に流入した煙が流通する面である。
【００６１】
流通面の形状としては、筐体内に流入した煙が堰堤部を越えた後に滞りなく流通可能であれば良い。流通面は、例えば単に平滑な平面であっても良く、煙の流通を妨げない程度に凹凸を有する凹凸面であっても良い。なお、流通面の好ましい態様としては、平面部の一部に堰堤部から後述の筒体部まで延在する溝を設ける態様を挙げることができ、煙が溝に沿って流通可能なように煙の流路を形成することにより、効率的に煙を感知することができる。流通面の材料としては、煙により変質し難い材料が好ましく、例えばプラスチック、木材、セラミックス及び金属等を挙げることができる。堰堤部と流通面とを一体化しても良く、例えば一体成形等で形成することができる。
【００６２】
前記筒体部は、前記流通面の一部に設けられ、かつ前記流通面を流通した煙が流入し、かつ発光素子から発せられる光を受光素子が受けることのできる部位である。この発明に係る煙感知器の筐体が取付基板と有底筒状体と煙導入基板とで形成されることにより全体として略円筒体状であるときには、煙導入基板における筒体部は、煙導入基板における中心部に設けられ、かつ取付面とは反対方向に突設される筒体であり、かつ筐体内に侵入する外乱光があったとしてもそれが入射しない程度の深さを有し、かつ発光素子及び受光素子が正常に作動可能であれば良い。この発明の煙感知器の内部に流入した煙は、堰堤部を乗り越えた後は流速が低下し、流通面を流通していくに従って流速が更に低下し、筐体における筒体部が設けられる部位まで到達すると、煙の粒子自身の自重で沈下して筒体部内に落下すると推測される。
【００６３】
ここで、煙を感知する検知手段については前述したとおりである。
【００６４】
筒体部の形状は、流通面の一部に陥設される筒体、すなわち流通面が上方に面しているときに下方に突設される筒体であり、かつ煙が流入し易く、かつ発光素子及び受光素子に外乱光が入光しない限り特に制限されず、例えば半径方向の断面形状が円形、楕円形及び多角形等である態様を採用することができる。筒体部の形状としては、流通面から陥設される限り、特に制限は無く、例えばその断面形状が円、楕円及び多角形等である態様を挙げることができる。筒体部の大きさは、煙が筒体部内に流入し易い大きさが好ましく、可能であれば小型化することにより、この発明の煙感知器の小型化に寄与することができる。筒体部の材料としては、煙により変質し難い材料が好ましく、例えばプラスチック、木材、セラミックス及び金属等を挙げることができる。流通面と筒体部とを一体化しても良く、例えば一体成形等で形成することができる。
【００６５】
以下に、この発明の煙感知器及び点灯装置の作用を説明する。
【００６６】
先ず、この発明の煙感知器を設置する。このとき、この発明の煙感知器を設置する環境には煙が発生していないこととする。また、この発明の煙感知器が煙を感知する検知手段として、上述した光学式のセンサを採用することとする。この発明の煙感知器を設置する場所としては、煙が流通し易い場所、例えば天井面及び壁面等を挙げることができる。設置場所について好ましくは、この発明の煙感知器の安定性等を考慮して、がたつき無く設置可能な平面が良い。
【００６７】
この発明の煙感知器が設置された場所に煙が流通すると、流入口を介して筐体内に煙が流入する。
【００６８】
筐体内に流入した煙は、堰堤部を乗り越えるようにして更に筐体の内部に流通する。煙が堰堤部を乗り越えることにより、煙の流通方向が乱れると推測される。また、堰堤部は、筒体部に配置される煙を感知するセンサ、例えば発光素子及び受光素子が外部からの外乱光により誤作動を起こすことの無いように、筐体内に侵入しようとする外乱光の大部分を遮光している。
【００６９】
続いて、堰堤部を越えて更に筐体内部方向に流通する煙は、流通面上を流通することとなる。堰堤部を乗り越えた後の煙は、流通面を流通していく途中で徐々にその流速が低下していくと考えられる。
【００７０】
次に、流通面を流通した煙が筒体部に流入する。この発明の煙感知器が天井面に設置された場合には、筒体部は下方に突設されているので、煙が流通面から筒体部内に流下し易い。なお、流通面を流通して流速が低下した煙は、筒体部内に流下し易い。よって、筒体部内に煙が流入し、検知手段例えばセンサが煙を感知することができる。
【００７１】
検知手段により煙を感知すると、検知手段例えば受光センサから検知信号が制御部に出力される。制御部は、前記検知信号の入力により煙感知と判断し、制御信号を発光部に出力して発光部を発光させる。
【００７２】
発光部から発せられた光は放光部本体内に案内される。また、発光部から発せられた光のうち放光部本体内に直ちに到達しなかった光は集光部により放光部本体内に集光される。結局、発光部から発せられた全ての光が放光部本体内に導光され、筐体の平面部から突出する放光部における突出部に到達し、突出部から、筐体の平面部が向う空間へと、光が放射される。
【００７３】
ここで、この発明の煙感知器の実施態様を、図面を用いて説明する。
【００７４】
図１に示すのは、この発明の一実施例である煙感知器１Ａである。
【００７５】
煙感知器１Ａは、筐体２と、堰堤部３と、流通面４と、筒体部５Ａとを備えている。
【００７６】
筐体２は、全体形状として両端を閉塞する略円筒形状を成す。筐体２は、取付部６及び収容部７を有する。取付部６は、両端を閉塞する円筒形状又は円盤形状を成し、取付部６における平面部部分の一方が設置面８、例えば天井等に取り付けられる。尚、この取付部は盤状をなすので取付基板とも称される。取付部６は、この煙感知器１Ａを取り付ける取付面である設置面８に固定されるのが好ましく、種々の固定手段により固定可能である。収容部７は、一端を閉塞する有底円筒体であり、その内部に後述の作動部９を収容している。取付部６と収容部７とは、結合手段（図示せず）により、収容部７の開口部側が取付部６に臨むように結合されている。取付部６と収容部７との間隙が、煙が筐体２内に流入可能な流入口１０である。よって、煙感知器１Ａでは、流入口１０が筐体２の周側面部の全周に亘って形成されることになる。また、取付部６において設置面８に面していない面、すなわち、筐体２の内部領域を形成することになる面は、便宜的に内部天井面１１と称することとする。
【００７７】
堰堤部３は、流入口１０から筐体２の内部でかつ内部天井面１１に向って傾斜する外側法面１２と、堰堤部３の最頂部である堤頂部１３と、堤頂部１３から筐体２の内部でかつ収容部７の底面に向って傾斜する内側法面１４とを有する。外側法面１２が流入口１０から堤頂部１３まで垂直に立ち上っていないのは、流入口１０から筐体２の内部に向って流通する煙を効率良く、また抵抗無く筐体２の内部に誘導することができるからである。堤頂部１３は、堰堤部３が内部天井面１１に最接近する部位である。内側法面１４は、堤頂部１３を乗り越えた煙が筐体２内部方向に円滑に流通することができるように傾斜している。もっとも、この発明の目的を達成することができる限り、外側法面１２及び内側法面１４は、傾斜させること無く、図１における鉛直方向に設けられても良い。
【００７８】
流通面４は、内側法面１４の下部と一体に形成されており、平滑な水平面である。なお、図１に示す煙感知器１Ａは、流通面４の高さが流入口１０の下端部よりも低位置、すなわち設置面から離れた位置となるように設計されている。これは、流入口１０と、内部天井面１１と、堰堤部３と、流通面４と、筒体部５Ａとで形成される筐体２の内部領域、特に、内側法面１４よりも中心側に、流入口１０から侵入する外乱光を侵入し難くすることができるからである。もっとも、筒体部５Ａに配置された検知手段であるセンサ１５が誤作動を起こさない程度に外乱光を遮光可能であれば、流通面４の高さに制限はない。
【００７９】
筒体部５Ａは、収容部７の略中央部に下方に突設された筒体である。筒体部５Ａには、下端開口部を閉塞するようにセンサ１５が装着されている。センサ１５は、光学式のセンサであり、発光素子１５Ａ、受光素子１５Ｂ並びに発光素子１５Ａ及び受光素子１５Ｂが配置された底板１５Ｃを有している。また、筒体部５Ａの下端開口部には、発光素子１５Ａから発せられる光が、煙が流入するであろう筒体部５Ａ内を通過して受光素子１５Ｂに到達可能なように、光路用切欠部５Ｂを設けている。センサ１５は、煙の不存在時には発光素子１５Ａから発せられる光が受光素子１５Ｂに到達せず、かつ煙の存在時には発光素子１５Ａから発せられる光が煙の粒子で反射して受光素子１５Ｂに到達し、かつ受光素子１５Ｂが光を受光すると煙を感知したこととするように設定されている。筒体部５Ａは、下方に突設されているので、その内部に外乱光が侵入し難い。なお、底板１５Ｃは筒体部５Ａ内に外乱光が侵入しないように設けた部材であるが、底板１５Ｃを設けなくとも外乱光の侵入が生じないときは、底板１５Ｃを設ける必要は無い。
【００８０】
図１に示すように、堰堤部３、流通面４及び筒体部５Ａは、一つの基板に一体化して形成されている。この基板は煙導入基板の一例である。また、図１においては、作動部９は、堰堤部３、流通面４及び筒体部５Ａ及びセンサ１５を有する部位であるが、この煙感知器１Ａを動作させる機能を実現する各種部品で形成される。例えば、作動部９は、図示しないが、センサ１５を駆動する電池、センサ１５が煙を感知した場合に使用者に煙の存在を報知する点灯装置及び聴覚的警報手段、及び制御部３６等を有している。堰堤部３における外側法面１２の外縁部は、収容部７の内周面に係合、嵌合、螺合又は固着されることができる。
【００８１】
この煙感知器１Ａは、更に点灯装置４０を備える。この点灯装置４０は、図２にも示されるように、煙感知器１Ａの外観を形成する筐体２内の適宜の部位に取り付けられた発光部４１と、集光部４２と、放光部４３とを有する。
【００８２】
発光部４１が取り付けられる筐体内の位置又は部材は適宜に決定される。図２においては、堰堤部３、流通面４及び筒体部５Ａを有する基板、即ち煙導入基板４４に取り付けられている。もっとも、この発明においては、発光部４１が取り付けられる位置又は部材は、前記煙導入基板４４に限定されることはない。
【００８３】
この発光部４１は、例えば高輝度ＬＥＤを用いて形成されるのが好ましい。高輝度の発光を実現することができるからである。この発光部４１は、図１に示されるように、制御部３６により、点灯及び点滅が制御される。
【００８４】
集光部４２は、放光部４３を保持するとともに、発光部４１により発せられた光を放光部４３内に効率良く導光する限り、その形状、構造等に制限がない。もっとも、図２に示される集光部４２は、放光部４３をガタつき無く装着することができるように、放光部４３の外周面と接触する内表面を有する筒状体として形成される。この集光部４２は、前記発光部４１から発光する光が漏洩しないように発光部４１における光放射領域を全て覆蓋するように、また、筐体２の内部で放光部４３の周側面から光が漏出しないように、筐体２内に存在する放光部４３、つまり放光部本体を全て覆蓋するように、好適にその形状が設計される。図２に示される集光部４２は発光部４１及び放光部４３の周側面全てを覆蓋する筒状体に、設計されている。
【００８５】
この集光部４２を形成する材質は、この集光部４２に要求される技術事項を満たす限り特に制限がなく、たとえば合成樹脂、金属、セラミックス等を挙げることができる。この筒状体に形成された集光部４２を合成樹脂、セラミック等で形成する場合には、放光部４３の周側面から出射しようとし、或いは出射した光を前記放光部４３内に戻す必要から、筒状体である集光部４２の内側面は鏡面に仕上げておくことが望ましく、又内表面を白色に塗装しておくことが望ましい。このような鏡面及び白色塗装面は反射面となる。
【００８６】
放光部４３は、発光部４１から放射される光を導光してその先端にある突出部４３Ａから外部へと放射する。この放光部４３は透明中実体で形成されることができ、当明中実体の材質として例えば透明樹脂、ガラス等を挙げることができる。この放光部４３は、前記集光部４２に内装され、好ましくはガタつきなく装着されるので、前記集光部４２の内周面に接触する外周面を有する形状に設計される。多くの場合、この放光部４３の、突出部４３Ａを除く形状、つまり放光部本体の形状としては、円柱体及び角柱体を挙げることができる。この放光部４３の、前記突出部４３Ａとは反対側に位置する後端面は、通常、この放光部４３の中心軸線に直交する平らな端面に成形されてなる。そして、この放光部４３における前記後端面は、図１に示されるように、発光部４１に接触するように配置されていても良く、また、図２に示されるように発光部４１から僅かに離れるように配置されていても良い。発光部４１から発光される光を効率良く突出部４３から放射するようにするには、放光部４３の後端面を発光部４１に接触させるようにするのが良い。
【００８７】
発光部４１が設置されている適宜の部材の面における発光部４１により占有されていない面であって、集光部４２で内部領域として区画される面が存在するときには、その面に光反射効率の良い、例えば白色塗料でその面を塗工して反射面４５を形成しておくのが、好ましい。このような反射面４５を形成しておくと、発光部４１から発して放光部４３に向わない光が、この反射面４５で反射して、放光部４３に案内されるから、突出部４３Ａから放射される光の強度が大きくなって、発光部４３から発する光を全て突出部４３Ａから放出することができるので、効率的である。
【００８８】
前記突出部４３Ａは、筐体２の、取付面とは反対側に形成された平面部から突出する部位である。この突出部４３Ａは、筐体２の平面部から突出して発光部４１から発せられる光を、前記平面部から、この平面部に向う全方向に、放射することができるように形成される。そのために、この突出部４３Ａの形状は、半球ドーム状であってもよく、また、多角台形状であっても良い。図２に示される突出部４３Ａは八角台形状に形成されている。突出部４３Ａが多角台形状、特に八角台形状に形成されていると、この煙感知器２が例えば天井に設置されている場合には、その部屋にいる人たちの目から見ると、クリスタルのように突出部４３Ａが観察され、またその突出部４３Ａから放射される光が見る角度により変化するので、視覚的警報手段として大いにその効果を発揮することができる。
【００８９】
この点灯装置４０は、図１に示されるように、制御部３６によってその点灯状態が制御される。
【００９０】
発光部４１を制御するプログラムとして、例えば、この煙感知器１Ａが正常に動作しているときには、発光部４１を常時点灯状態にしておくように制御信号を出力するプログラム、及び、検知手段例えばセンサ１５が煙を検知すると、発光部４１を点滅させるように制御信号を出力するプログラム等を挙げることができる。
【００９１】
以下に、煙感知器１Ａの使用方法及びその作用を説明する。
【００９２】
先ず、煙感知器１Ａを、煙感知器１Ａの取付部６が設置面８に固定されるように、設置する。取付部６を設置面８に固定する方法としては、木ネジ等で固定する方法を用いることができる。なお、家屋等で煙感知器１Ａを用いる場合には、設置場所の内装保護という見地から、煙感知器１Ａを除去した場合に設置面８に取付痕をできる限り生じさせないことが好ましい。
【００９３】
煙感知器１Ａが設置されている空間例えば部屋などに煙が発生すると、煙は設置面８に沿って流通することが多い。煙が設置面８に沿って流通すると、流入口１０を介して筐体２内に煙が流入する。
【００９４】
筐体２内に流入した煙は、外側法面１２に沿って筐体２の内部方向に誘導される。更に、煙は、堤頂部１３を越えた後、内側法面１４と内部天井面１１と流通面４とで形成される筐体２の内部領域に向って流通することとなる。煙が堰堤部３を乗り越えることにより、煙の流通方向が乱れると考えられる。また、堰堤部３は、筒体部５Ａの下端開口部に装着されるセンサ１５が外部からの外乱光により誤作動を起こすことの無いように、前記内部領域に侵入しようとする外乱光の大部分を遮光している。
【００９５】
続いて、堰堤部３を越えて流通する煙は、流通面４を流通することとなる。なお、堰堤部３を乗り越えた後の煙は、流通面４を流通していく途中で徐々にその流速が低下していく。
【００９６】
次に、流通面４を流通した煙が筒体部５Ａに流入する。筒体部５Ａは下方に開口しているので、流通面４に沿って流通していた煙は筒体部５Ａ内に流下し易い。なお、流通面４を流通して流速が低下した煙は、筒体部５Ａ内に流下し易いと考えられる。筒体部５Ａ内に煙が流入すると、センサ１５が煙を感知することができる。
【００９７】
煙感知器１Ａは、センサ１５が煙を感知することにより、すなわち筒体部５Ａ及び底板１５Ｃで形成される領域内に煙が流入して発光素子１５Ａから発せられる光が煙の粒子で反射して受光素子１５Ｂに到達することにより、煙感知器１Ａが設置されている場所に煙が発生していることを、感知することができる。作動部９には、図示しないが、煙感知器１Ａが煙の存在を感知した場合に、使用者に煙の存在を報知することができる警報手段が設けられているので、警報手段が警報を発する。視覚的警報手段である放光部が発光することに加えて聴覚的警報手段が警報を発することにより、煙感知器１Ａの設置場所に火災が発生していることが、より一層確実に認識される。
【００９８】
検知手段例えばセンサ１５により煙を検知すると、このセンサ１５から検出信号が制御部３６に出力される。制御部３６は、検出信号を入力することにより、煙の発生を判別すると、発光部４１に制御信号を出力する。発光部４１は、制御信号の入力により、発光部４１が発光し、しかも点滅させる。
【００９９】
発光部４１から光が放射される。発光部４１から放射される光の一部が発光部４１を設置している表面に照射されることがあっても、その表面に反射面４５を設けているので、その表面に照射された光は反射して放光部４３内に導かれ、放光部４３内を導光される。発光部４１から放射された光が放光部４３に直接に照射されると、その光は放光部４３内を導光される。放光部４３内を導光される光は、放光部４３と集光部４２との界面で全反射しつつ突出部４３Ａへと導光される。放光部４３内を導光された光は、突出部４３Ａから外界へと放射される。
【０１００】
かくして発光部４１で発せられた光の全てが放光部４３内を導光されて突出部４３Ａから外界に放出されるので、大輝度で光放射されるので、この煙感知器１Ａによる視覚的警報効果が絶大である。
【０１０１】
続いて、図１及び２に示したこの発明の煙感知器の実施態様よりも、更に具体的な実施態様を図３〜５に示す。なお、図３〜５に示す部材と図１に示す部材とが共通の場合は、同一の番号を付すこととし、説明も省略することがある。
【０１０２】
図３に示すように、煙感知器１Ｂの筐体２は、有底円筒体の取付部６と略有底円筒体の収容部７とを有する。取付部６と収容部７とは、一定の間隔を有するように相互に結合されており、前記間隔が煙の流入可能な流入口１０を成す。煙感知器１Ｂは、電池（図示せず）により駆動するようにしている。収容部７の周側面部には、電池カバー１６が装着されており、図示しないが、電池カバー１６の背後であって筐体２の内部には、電池を収容可能な電池装着部が設けられていて、この電池カバー１６を取り外すと前記電池装着部が電池装着可能に露出する。収容部７における底面部つまり筐体２の取付面とは反対側の端面である平面部１７には、放光部における突出部１８が突設されている。突出部１８は、平面部１７から突出する部位が先端に向って水平断面が小さくなるような八角台形状をなす。放光部は、この突出部１８と筐体２の内部にける八角柱とで形成される透明部材である。その透明部材の後端つまり突出部１８とは反対側の端面には、発光部例えばＬＥＤ又は高輝度ＬＥＤが配置される。筐体２内の前記発光部例えば高輝度ＬＥＤ（図示せず）から発せられる光が前記放光部を導光されて平面部１７から突出する突出部１８から、前記平面部が向う四方に向って放光する。
【０１０３】
流入口１０の内側には、堰堤部３における堤頂部１３及び内側法面１４が示されている。また、堰堤部３の堤頂部１３には、図１及び図３に示されるように、一定の間隔を有するように櫛歯１９が環状列設されている。櫛歯１９の長さは、その上端部が取付部６の下端面に当接するように設定されている。櫛歯１９は、侵入してセンサが誤作動を起こす可能性のある物体、例えば虫及び埃等が進入するのを防止可能なように設けられた部材であり、柱形状を成す。なお、櫛歯１９は、相互に一定の間隔を有して立設されているので、虫及び埃等は侵入させないが、煙の流通を妨げることはない。
【０１０４】
図４に示すのは、図３に示した煙感知器１Ｂを底面部１７から観察した場合の、外観図である。図４に示すように、煙感知器１Ｂは、底面部１７を横断する複数の溝部２０が設けられている。複数の溝部２０は、互いに平行でかつ一定の間隔を有している。また、溝部２０の一部には、溝の形成方向において種々の幅を有する切欠部２１が設けられている。切欠部２１は底面部１７を外部から内部へと貫通しているので、筐体２の内部及び外部が切欠部２１により連通している。筐体２の内部及び外部が切欠部２１により連通しているので、収容部７に内蔵された聴覚的警報手段２２例えばスピーカの一部が前記切欠部２１を通して観察されることができ、またこの切欠部２１によって聴覚的警報手段２２の発する警報が筐体２内に篭もることなくこの煙感知器１Ｂを設置する空間に鳴り響かせることができる。底面部２３の視覚的警報手段１８近傍には、押ボタン２３が設けられている。押ボタン２３は、収容部７の周側面及び底面部１７に一致するような形状を成し、筐体２の軸方向に可動である。押ボタン２３は、例えば、視覚的警報手段１８及び聴覚的警報手段２２が警報を発した場合に警報を止める機能、視覚的警報手段１８及び聴覚的警報手段２２が正常に作動するか確認する機能及び電池の消耗を確認する機能等を備えている。
【０１０５】
図５に示すのは、図３に示した煙感知器１Ｂの断面図である。煙感知器１Ｂは、筐体２、堰堤部３、流通面４及び筒体部５Ａを備えている。
【０１０６】
筐体２は、略円筒体形状を成し、取付部６及び収容部７を有している。取付部６は、取付部６を設置面に固定する固定部材２４と、筐体２内に流入した煙を漏出し難く又は漏出不能にする蓋体２５とを有している。固定部材２４は、一端を開口する略有底円筒体を成し、中央部には挿通口２６が設けられている。蓋体２５は、有底円筒体であり、挿通口２６を挿通する頸部２７と、頸部２７の一端から外側に張り出すようにして設けられるフランジ２８とを有する。なお、蓋体２５の底面及びフランジ２８が内部天井面１１を形成することになる。頸部２７は、挿通口２６に嵌入されており、着脱自在である。もっとも、頸部２７は、挿通口２６に固着、溶着若しくは接着されていても良く、又は挿通口２６と一体化していても良い。
【０１０７】
筒体部５Ａの一部、堰堤部３及び流通面４は、煙誘導部材２９として一体化されている。
【０１０８】
煙誘導部材２９は、略有底円筒体であり、周側面部３０並びに底面となる堰堤部３及び流通面４を有している。また、煙誘導部材２９は、その中央部に貫通孔３１が設けられている。筒体部５Ａは、貫通孔３１の下端部に封蓋部３２が装着されることにより形成される。貫通孔３１の下端部から筒体部５Ａが突設されており、更に、筒体部５Ａの下端開口部に封蓋部３２が装着されることにより当該下端開口部が閉塞されるようになっている。
【０１０９】
図５に示した煙感知器１Ｂにおいては、流通面４が第１流通面４Ａ、傾斜面４Ｂ及び第２流通面４Ｃから成る。流通面４の途中で傾斜面４Ｂを設けることにより、筒体部５Ａの開口部である貫通孔３１に到達する外乱光の光量を低減することができるので好ましい。底面部１７の内面には、電池３３を軸線方向に沿って支持可能な電池支持部３４が付設されているので、傾斜面４Ｂの下方には電池３３を収容することができる。また、底面部１７の内面には、聴覚的警報手段２２を着脱自在に装着可能な警報手段取付部３５が設けられている。警報手段取付部３５の位置は、図４における切欠部２１の位置に応じて決定される。貫通孔３１の下端部でかつ周側面には、制御部３６が装着されている。制御部３６は、センサ（図示せず）を有し、電池３３から駆動電力を供給され、センサの駆動を制御し、センサから出力される信号に基づいて煙の存在を判別し、制御信号として警報発動信号を警報手段に出力可能である。制御部３６には、複数の機能を付加することのできる部材、例えば集積回路等を用いることができる。
【０１１０】
以下に、煙感知器１Ｂの使用方法及びその作用を説明する。
【０１１１】
先ず、煙感知器１Ｂを、取付部６の固定部材２４が設置面に固定されるように、設置する。固定部材６を設置面に固定する方法としては、接着又は木ネジ等で固定する方法を用いることができる。なお、家屋等で煙感知器１Ｂを用いる場合には、設置場所の内装保護という見地から、煙感知器１Ｂを除去したときに設置面に取付痕ができる限り生じないことが好ましい。
【０１１２】
煙感知器１Ｂが設置された場所に煙が発生すると、煙は設置面に沿って流通することが多い。煙が設置面に沿って流通すると、流入口１０を介して筐体２内に煙が流入することができる。
【０１１３】
筐体２内に流入した煙は、煙誘導部材２９に沿って流通することとなる。詳しく言うと、煙は、外側法面１２の傾斜に沿って筐体２の内部方向に誘導される。更に、煙は、堤頂部１３を越えた後、内側法面１４と内部天井面１１と流通面４とで形成される筐体２の内部領域に向って流通する。このとき、堤頂部１３に設けられる櫛歯１９が煙の流通を妨げることは無いので、煙は円滑に筐体２内に流入していく。煙が堰堤部３を乗り越えることにより、流通する煙にオリフィス様の作用が働くので、煙の流通方向が乱れると考えられる。また、堰堤部３は、制御部３６に配置されるセンサが外部からの外乱光により誤作動を起こすことの無いように、煙誘導部材２４と内部天井面１１とで形成される筐体の内部領域に侵入しようとする外乱光の大部分を遮光している。
【０１１４】
続いて、堰堤部３を越えて流通する煙は、第１流通面４Ａ、傾斜面４Ｂ及び第２流通面４Ｃを流通することとなる。なお、堰堤部３を乗り越えた後の煙は、流通面４を流通するに従って、その流速が徐々に低下していくと考えられる。また、煙感知器１Ｂは、傾斜面４Ｂを設けているので、堰堤部３を乗り越えて侵入する外乱光を更に低減することができる。
【０１１５】
次に、流通面４を流通した煙が筒体部５Ａ内に流入する。筒体部５Ａは下方に突設されているので、流通面４に沿って流通していた煙は筒体部５Ａ内に流下し易い。なお、流通面４を流通して流速が低下した煙は、筒体部５Ａ内に流下し易い。よって、筒体部５Ａ内に煙が流入することにより、センサが煙を感知することができるようになる。
【０１１６】
センサが煙を感知することにより、センサと電気的に接続される制御部３６にセンサから信号が出力される。制御部３６にセンサからの信号が出力されると、聴覚的警報手段２２及び発光部に制御信号を出力する。聴覚的警報手段２２及び発光部に制御信号が出力されると、それぞれの聴覚的警報手段が音響的或いは合成音声による警報を発し、発光部から発光する光が放光部本体内を導光されて突出部１８から発光放射される。したがって、使用者は煙感知器１Ｂの設置場所に煙が発生していることを認識することができる。
【０１１７】
この発明の煙感知器は、図面に示した実施態様に限定されることは無く、この発明の目的を達成することができる限り、様々に設計変更が可能である。
【図面の簡単な説明】
【０１１８】
【図１】図１は、この発明の煙感知器の一実施態様を示す一部切欠断面図である。
【図２】図２は、この発明の点灯装置の一例を示す断面図である。
【図３】図３は、この発明の煙感知器の他の実施態様を示す正面図である。
【図４】図４は、図３に示した実施態様の底面を示す正面図である。
【図５】図５は、図３に示した実施態様の断面図である。
【符号の説明】
【０１１９】
１Ａ、１Ｂ    煙感知器
２        筐体
３        堰堤部
４        流通面
４Ａ      第１流通面
４Ｂ      傾斜面
４Ｃ      第２流通面
５Ａ      筒体部
５Ｂ      光路用切欠部
６        取付部
７        収容部
８        設置面
９        作動部
１０      流入口
１１      内部天井面
１２      外側法面
１３      堤頂部
１４      内側法面
１５      センサ
１５Ａ    発光素子
１５Ｂ    受光素子
１５Ｃ    底板
１６      電池カバー
１７      底面部
１８      視覚的警報手段
１９      櫛歯
２０      溝部
２１      切欠部
２２      聴覚的警報手段
２３      押ボタン
２４      固定部材
２５      蓋体
２６      挿通口
２７      頸部
２８      フランジ
２９      煙誘導部材
３０      周側面部
３１      貫通孔
３２      封蓋部
３３      電池
３４      電池支持部
３５      警報手段取付部
３６      制御部
４０      点灯装置
４１      発光部
４１      集光部
４３      放光部
４３Ａ    突出部
４４      煙導入基板
４５      反射面
【図１】
0005442207.tif 000002
【図２】
0005442207.tif 000003
【図３】
0005442207.tif 000004
【図４】
0005442207.tif 000005
【図５】
0005442207.tif 000006